(57)【要約】【課題】修理や交換といった場面で作業性の向上に貢献することができる生体指標測定装置を提供する。【解決手段】生体指標測定装置１１の本体には支柱１８が分離可能に連結される。支柱１８には、ディスプレイユニット２２が着脱自在に取り付けられる。本体１２内に演算処理回路が組み込まれる。演算処理回路は、生体から得られる測定値に基づき生体指標を算出する。ディスプレイユニット２２は設置場所で単独で交換されうる。ディスプレイユニット２２の構成要素の交換や修理は設置場所以外の場所で実施されうる。こういった修理や交換にあたって生体指標測定装置１１全体が持ち運ばれる必要はない。作業の負担は軽減される。修理や交換といった場面で作業性は向上する。【選択図】図２
2011177298.tif 000002
【特許請求の範囲】
【請求項１】
プラットフォームを備える本体と、
前記本体内に組み込まれて、生体から得られる測定値に基づき前記生体に関する生体指標を算出する演算処理回路と、
前記本体に分離可能に連結され、前記本体から立ち上がる支柱と、
前記支柱に着脱自在に取り付けられ、前記生体指標を含む情報を表示するディスプレイユニットと
を備えることを特徴とする生体指標測定装置。
【請求項２】
請求項１に記載の生体測定装置において、前記本体および前記ディスプレイユニットの間で前記支柱の外面に沿って延びるケーブルをさらに備えることを特徴とする生体指標測定装置。
【請求項３】
請求項１に記載の生体測定装置において、
前記本体内に組み込まれて、前記プラットフォーム上の生体の重量に応じて変化する信号を生成する重量・信号変換装置と、
前記本体内に組み込まれて、前記重量・信号変換装置からの信号に基づいて前記重量値を示す重量信号を生成する重量測定回路と、
前記生体に電流を供給する複数の電流電極と、
前記生体に接触する複数の電圧電極と、
前記本体内に組み込まれて、前記電圧電極に与えられた電圧と前記電流に基づいて前記生体のインピーダンスを示すインピーダンス信号を生成するインピーダンス測定回路とを
さらに備え、
前記演算処理回路は、前記重量信号と前記インピーダンス信号に基づいて、前記生体に関する生体指標を計算することを特徴とする生体指標測定装置。
【発明の詳細な説明】
【技術分野】
【０００１】
本発明は例えば体組成計といった生体指標測定装置に関する。
【背景技術】
【０００２】
例えば、特許文献１に記載のように、体組成計は床面に設置される本体を備える。本体はプラットフォームを有する。本体から鉛直方向に支柱が立ち上がる。支柱には所定の高さでディスプレイユニットが取り付けられる。ディスプレイユニットではスクリーンに体重や体脂肪率といった生体情報が表示される。測定にあたってプラットフォーム上で利用者は直立する。利用者は直立したままディスプレイユニット上で体重や体脂肪率を確認することができる。
【先行技術文献】
【特許文献】
【０００３】
【特許文献１】特開２０１０−１１９０６号公報
【発明の概要】
【発明が解決しようとする課題】
【０００４】
支柱は本体に固定される。ディスプレイユニットは支柱の先端に埋め込まれる。ディスプレイユニットにはＰＣ（パーソナルコンピューター）ボードが組み込まれる。ディスプレイユニットのＰＣボードは、体重および生体インピーダンスに基づいて体脂肪率などの生体指標を算出する。支柱は本体から取り外すことは容易ではない。ディスプレイユニットやＰＣボードの修理や交換は設置場所で簡単に実施されることはできない。修理や交換にあたって体組成計全体が持ち運ばれなければならず、煩わしい。
【０００５】
そこで、本発明は、修理や交換といった場面で作業性の向上に貢献することができる生体指標測定装置を提供する。
【課題を解決するための手段】
【０００６】
上記目的を達成するために、本発明によれば、プラットフォームを備える本体と、前記本体内に組み込まれて、生体から得られる測定値に基づき前記生体に関する生体指標を算出する演算処理回路と、前記本体に分離可能に連結され、前記本体から立ち上がる支柱と、前記支柱に着脱自在に取り付けられ、前記生体指標を含む情報を表示するディスプレイユニットとを備える生体指標測定装置が提供される。
【０００７】
かかる生体指標測定装置ではディスプレイユニットは支柱から取り外されうる。しかも、演算処理回路は本体内に組み込まれる。したがって、ディスプレイユニットは設置場所で単独で交換されうる。ディスプレイユニットの構成要素の交換や修理は設置場所以外の場所で実施されうる。こういった修理や交換にあたって生体指標測定装置全体が持ち運ばれる必要はない。作業の負担は軽減される。修理や交換といった場面で作業性は向上する。比較的に簡単にディスプレイユニットの構成要素はアップデートされうるし、ディスプレイユニット全体を新機能のものに交換することも容易である。
【０００８】
生体指標測定装置は、前記本体および前記ディスプレイユニットの間で前記支柱の外面に沿って延びるケーブルをさらに備えてもよい。生体指標測定装置では支柱は本体から取り外されうる。こうして支柱が取り外されても、ケーブルの働きでディスプレイユニットと本体との接続は維持されうる。利用者はディスプレイユニットを利用し続けることができる。プラットフォーム上の利用者本人以外の測定者は利用者の目からディスプレイユニット上の表示を遠ざけることができる。
【０００９】
生体指標測定装置は、前記本体内に組み込まれて、前記プラットフォーム上の生体の重量に応じて変化する信号を生成する重量・信号変換装置と、前記本体内に組み込まれて、前記重量・信号変換装置からの信号に基づいて前記重量値を示す重量信号を生成する重量測定回路と、前記生体に電流を供給する複数の電流電極と、前記生体に接触する複数の電圧電極と、前記本体内に組み込まれて、前記電圧電極に与えられた電圧と前記電流に基づいて前記生体のインピーダンスを示すインピーダンス信号を生成するインピーダンス測定回路とをさらに備えてもよく、前記演算処理回路は、前記重量信号と前記インピーダンス信号に基づいて、前記生体に関する生体指標を計算するのでもよい。
【００１０】
演算処理回路に加えて、重量測定回路およびインピーダンス測定回路といった要素が本体内に組み込まれることによって、生体指標測定の主要な機能は、ディスプレイユニットから独立して、本体に設けられる。ディスプレイユニットには、本体との信号交換のためのインターフェイス、表示のための制御基板といった最小限の要素のみを搭載することができる。従って、生体指標測定装置に不具合があっても、問題が本体にあるのか、ディスプレイユニットにあるのか容易に特定することができる。問題の箇所が特定されれば、例えばディスプレイユニットのみまたは本体のみを交換することも可能である。
【図面の簡単な説明】
【００１１】
【図１】本発明の一実施形態に係る体組成計の外観を示す斜視図である。
【図２】体組成計の分解斜視図である。
【図３】体組成計の制御系を概略的に示すブロック図である。
【図４】体組成計の電力系を概略的に示すブロック図である。
【図５】支柱からディスプレイユニットが取り外された際に体組成計を概略的に示す斜視図である。
【図６】本体から支柱が取り外された際に体組成計を概略的に示す斜視図である。
【図７】支柱の拡大図である。
【発明を実施するための形態】
【００１２】
以下、添付図面を参照しつつ本発明の一実施形態を説明する。
図１は本発明の一実施形態に係る体組成計１１を示す。体組成計１１は平たい本体１２を備える。本体１２はプラットフォーム１３を備える。図示しないが、プラットフォーム１３は、鋼板で形成された箱状の部分と、その外側に配置された樹脂カバーとを備える。樹脂カバーは、プラットフォームの外装となるとともに、鋼板で形成された部分と後述する電極１４ａ、１４ｂ、１５ａ、１５ｂとを絶縁する。
【００１３】
プラットフォーム１３（の外側の樹脂カバー）は例えば水平な平坦面を有する。平坦面には左右１対の電流電極１４ａ、１４ｂと左右１対の電圧電極１５ａ、１５ｂとが設置される。電流電極１４ａ、１４ｂおよび電圧電極１５ａ、１５ｂは例えばステンレス鋼といった金属材料その他の導電材から形成される。電流電極１４ａ、１４ｂおよび電圧電極１５ａ、１５ｂの詳細は後述される。体組成計１１の利用者はプラットフォーム１３上で直立する。このとき、左足の足裏は左の電流電極１４ａおよび左の電圧電極１５ａに受け止められる。右足の足裏は右の電流電極１４ｂおよび右の電圧電極１５ｂに受け止められる。
【００１４】
本体１２はベース１６を備える。ベース１６は例えばステンレス鋼といった剛体物から形成される。ベース１６は平面視でほぼ矩形に形作られる。矩形の四隅にはそれぞれ台足１７が固定される。図１には３つの台足１７が図示される。ベース１６は台足１７で床面に支持される。台足１７は、床面に直交する方向にベース１６に対して変位することができる。こうした変位に基づき台足１７の足裏とプラットフォーム１３との距離は調整されうる。調整に応じてプラットフォーム１３の水平姿勢が確立される。水平姿勢が確立されると、プラットフォーム１３の平坦面は重力方向に直交する。台足１７の変位は、例えば重力方向に軸心を有するねじ軸の働きで実現されればよい。
【００１５】
プラットフォーム１３の前方で本体１２には支柱１８が固定される。支柱１８は鉛直方向に立ち上がる。ここで、鉛直方向の下向きは重力方向に一致する。プラットフォーム１３の前方で支柱１８の前後には本体１２に前カバー１９および後カバー２１が取り付けられる。
【００１６】
所定の高さで支柱１８にはディスプレイユニット２２が分離可能に連結される。ディスプレイユニット２２は空間的に鉛直方向にプラットフォーム１３から離れる。ディスプレイユニット２２にはタッチスクリーンパネル２３が組み込まれる。タッチスクリーンパネル２３のスクリーンには様々な情報が表示される。情報には例えば体重や体脂肪率、筋肉量、体水分量、基礎代謝量、骨量、内臓脂肪レベル、体内年齢といった生体情報が含まれるが、少なくともいずれか１つが含まれればよい。
【００１７】
タッチスクリーンパネル２３は入力装置を兼ねる。利用者のタッチに応じてディスプレイユニット２２には指令やデータが入力されうる。ディスプレイユニット２２の高さは利用者の身長に応じて決定されればよい。ディスプレイユニット２２の高さに応じて利用者の視認性が十分に確保されればよい。
【００１８】
所定の高さで支柱１８には左右の把持電極ユニット２４ａ、２４ｂが着脱自在に支持される。把持電極ユニット２４ａ、２４ｂは空間的に鉛直方向にプラットフォーム１３から離れる。左の把持電極ユニット２４ａには、後述されるように、電流電極２５および電圧電極２６が取り付けられる。同様に、右の把持電極ユニット２４ｂには電流電極２５および電圧電極２６が取り付けられる。体組成計１１の利用者が左手で左の把持電極ユニット２４ａを掴むと、電流電極２５および電圧電極２６は左手の手のひらに接触する。同様に、利用者が右手で右の把持電極ユニット２４ｂを掴むと、電流電極２５および電圧電極２６は右手の手のひらに接触する。
【００１９】
図２に示されるように、支柱１８はベース１６に分離可能に連結される。こうした連結にあたって４本の摘みねじ２８が用いられる。図２では３本の摘みねじ２８が図示される。支柱１８の根本にはベース１６の水平面に重ね合わせられる左右の平板２９が形成される。摘みねじ２８の軸心は鉛直方向に延びる。摘みねじ２８の軸がベース１６にねじ込まれる。平板２９は摘みねじ２８のねじ頭とベース１６との間に挟み込まれる。摘みねじ２８の働きで支柱１８は特定の道具なしで簡単に着脱されうる。
【００２０】
ベース１６には４つのロードセルユニット３１が固定される。ロードセルユニット３１は、鉛直方向に変位する荷重伝達部材３２を備える。プラットフォーム１３に与えられた荷重は、４つの荷重伝達部材３２に伝達されて、さらに４つのロードセル（ここでは図示されず）に与えられる。各荷重伝達部材３２に与えられた荷重は、ロードセルで電気信号に変換される。電気信号は、荷重伝達部材３２に作用する重量を特定する。
【００２１】
ベース１６には前述の前カバー１９、後カバー２１およびプラットフォーム１３が支持される。前カバー１９および後カバー２１は例えば合成樹脂から成形される。前カバー１９および後カバー２１はそのものの弾性力の働きで着脱自在にベース１６に連結される。こうして前カバー１９および後カバー２１は支柱１８の根本に前後から覆い被さる。本体１２の見栄えは向上する。プラットフォーム１３はロードセルユニット３１の荷重伝達部材３２に連結される。連結にあたって例えばねじ（図示されず）が用いられる。こうしてプラットフォーム１３はロードセルに支持される。ロードセルは本体１２内に組み込まれる。プラットフォーム１３上で利用者が直立すると、利用者の体重に応じて個々の荷重伝達部材３２は鉛直方向に変位する。こうして個々のロードセルは利用者の体重に応じて所定の電気信号を出力する。
【００２２】
図３に示されるように、本体１２内には重量測定回路すなわち重量測定ボード４１が組み込まれる。重量測定ボード４１にはロードセルユニット３１内のロードセル（重量・信号変換装置）４２が接続される。ロードセル４２の電気信号は重量測定ボード４１に供給される。供給される電気信号に基づき重量測定ボード４１はプラットフォーム１３に加わる重量値を特定する。ここで、重量値は、利用者すなわち生体から得られる測定値の一例に相当する。重量測定ボード４１は、重量値を示す測定値データすなわち重量信号を生成する。
【００２３】
本体１２内にはインピーダンス測定回路すなわちインピーダンス測定ボード４３が組み込まれる。インピーダンス測定ボード４３にはプラットフォーム１３上の電流電極１４ａ、１４ｂおよび電圧電極１５ａ、１５ｂ並びに把持電極ユニット２４ａ、２４ｂ内の電流電極２５、２５および電圧電極２６、２６が接続される。インピーダンス測定ボード４３は、電流電極１４ａ、１４ｂ、２５、２５のうち選択されたいずれか１対の電流電極によって、生体すなわち利用者に所定の周波数の交流電流を供給する。すなわち、電流電極１４ａ、１４ｂ、２６、２６のいずれか１対および生体を通じて電流経路が形成される。生体の様々な部位のインピーダンスを測定するため、選択される電流電極の対を変更しながら、電流供給を繰り返してもよい。
【００２４】
インピーダンス測定ボード４３は、交流電流の供給に応じて１対の電圧電極１５ａ、１５ｂ、２６、２６のうち選択されたいずれか１対の電圧電極を用いて生体の電圧を測定する。生体の様々な部位のインピーダンスを測定するため、選択される電圧電極の対を変更しながら、電圧測定を繰り返してもよい。電流値および電圧値に基づきインピーダンス値が算出される。ここで、インピーダンス値は、利用者すなわち生体から得られる測定値の一例に相当する。インピーダンス測定ボード４３は、インピーダンス値を示す測定値データすなわちインピーダンス信号を生成する。
【００２５】
インピーダンス測定ボード４３と電流電極２５および電圧電極２６との接続にあたって本体１２にはコネクター４４が搭載される。コネクター４４はインピーダンス測定ボード４３に接続される。コネクター４４とインピーダンス測定ボード４３との間は、個々の電流電極２５および電圧電極２６ごとに信号線４５で接続されている。その一方で、個々の把持電極ユニット２４ａ、２４ｂには例えば１本のケーブル４６が接続される。個々のケーブル４６内には電流電極２５および電圧電極２６ごとに信号線が設けられている。ケーブル４６の先端にはコネクター４７が結合される。コネクター４４、４７同士が連結されると、個々の電流電極２５および電圧電極２６からインピーダンス測定ボード４３まで個別の信号線が確立される。こうして個々の把持電極ユニット２４ａ、２４ｂはコネクター４４、４７の働きで着脱自在に本体１２に接続されうる。
【００２６】
本体１２内には制御ボード４８が組み込まれる。制御ボード４８には重量測定ボード４１およびインピーダンス測定ボード４３が接続される。制御ボード４８は重量測定ボード４１およびインピーダンス測定ボード４３から測定値データである重量信号とインピーダンス信号を取得する。制御ボード４８上に演算処理回路が設けられている。演算処理回路は予め決められた算出方法に従って生体に関する生体指標を算出する。
【００２７】
算出される生体指標としては、生体の体組成に関する指標が含まれる。体組成に関する指標としては、皮下脂肪厚、腹筋厚、皮下脂肪面積、内臓脂肪面積、腹部全脂肪面積、体幹部脂肪率および全身脂肪率が挙げられる。こうした算出にあたって前述の重量値およびインピーダンス値が用いられる。算出方法は例えばソフトウェアプログラムに基づき設定される。ソフトウェアプログラムは例えば不揮発性メモリ（図示されず）に格納されればよい。こういった不揮発性メモリは演算処理回路に接続されればよい。
【００２８】
インピーダンス測定ボード４３の接続にあたって制御ボード４８上にはフォトカプラー４９が実装される。フォトカプラー４９には演算処理回路から図示しない信号線が接続される。同様に、フォトカプラー４９にはインピーダンス測定ボード４３から図示しない他の信号線が接続される。フォトカプラー４９は、インピーダンス測定ボード４３から制御ボード４３への信号を光を用いて伝達する。フォトカプラー４９の働きで、インピーダンス測定ボード４３と制御ボード４３の間で電気的絶縁が確立される。
【００２９】
制御ボード４８にはディスプレイユニット２２が接続される。接続にあたって本体１２にはインターフェイスボード５１が組み込まれる。同時に、ディスプレイユニット２２にはインターフェイスボード５２が組み込まれる。インターフェイスボード５１、５２同士はケーブル５３で接続される。個々のインターフェイスボード５１、５２にはコネクター５５、５６が実装される。ケーブル５３の両端にはコネクター５７、５８が結合される。個々のコネクター５７、５８はそれぞれコネクター５５、５６に着脱自在に連結される。こうしてインターフェイスボード５１、５２同士の間に信号線が確立される。インターフェイスボード５１、５２は例えばＲＳ２３２インターフェイスを構成すればよい。その他、こういった有線インターフェイスに代えて無線通信といった無線インターフェイスが利用されてもよい。
【００３０】
ディスプレイユニット２２にはＰＣ（パーソナルコンピューター）ボード５９が組み込まれる。インターフェイスボード５２およびタッチスクリーンパネル２３はＰＣボード５９に接続される。ＰＣボード５９はタッチスクリーンパネル２３の動作を制御する。インターフェイスボード５２の働きでＰＣボード５９および制御ボード４８の間で信号はやり取りされる。
【００３１】
ＰＣボード５９にはＵＳＢボード６１が接続される。ＵＳＢボード６１にはＵＳＢコネクター６２が実装される。ＵＳＢコネクター６２には例えばＵＳＢメモリその他様々な周辺機器が接続されうる。生体指標を示す情報はＵＳＢコネクター６２を通じてＵＳＢメモリやその他の周辺機器に向けて出力されうる。この実施の形態では、ＵＳＢボード６１は、ディスプレイユニット２２に設けられているが、本体１２に設けてもよい。
【００３２】
図４に示されるように、本体１２には電源ボード６４が組み込まれる。電源ボード６４にはＡＣ／ＤＣコンバーターが実装される。ＡＣ／ＤＣコンバーターの一次回路は電源コネクター６５に接続される。電源コネクター６５は本体１２の側面で露出する。電源コネクター６５には電源コード６６が接続される。電源コード６６の先端にはプラグ６７が結合される。こうして一次回路には任意の電源から交流電圧が供給される。ＡＣ／ＤＣコンバーターの二次回路は制御ボード４８に接続される。ＡＣ／ＤＣコンバーターは交流電圧を直流電圧に変換する。直流電圧は制御ボード４８に供給される。ＡＣ／ＤＣコンバーターの働きで例えば２３０Ｖの商用電圧は１２Ｖの直流電圧に変換される。
【００３３】
電源コネクター６５および電源ボード６４の間には電源スイッチ６８が接続される。電源スイッチ６８は電源コネクター６５および電源ボード６４の間で電力の導通および遮断を制御する。電源スイッチ６８は本体１２の側面で露出する。
【００３４】
制御ボード４８から重量測定ボード４１およびインピーダンス測定ボード４３に電力は供給される。インピーダンス測定ボード４３への供給にあたって制御ボード４８にはＤＣ／ＤＣコンバーター６９が実装される。ＤＣ／ＤＣコンバーター６９は所定の電圧値の電圧をその電圧値よりも低い電圧値の電圧に変換する。重量測定ボード４１には制御ボード４８から供給される所定の電圧値の電圧が供給される。インピーダンス測定ボード４３には制御ボード４８から供給される所定の電圧値よりも低い電圧値の電圧が供給される。ＤＣ／ＤＣコンバーター６９は例えば１２Ｖの直流電圧を５Ｖの直流電圧に変換する。
【００３５】
電源ボード６４にはディスプレイユニット２２が接続される。前述のインターフェイスボード５１、５２には電源用コネクター７１、７２が実装される。電源用コネクター７１、７２同士は電源用ケーブル７３で相互に接続される。電源用ケーブル７３の両端には電源用コネクター７４、７５が結合される。個々の電源用コネクター７４、７５はそれぞれ電源用コネクター７１、７２に着脱自在に連結される。こうしてインターフェイスボード５１、５２同士の間に電源線が確立される。インターフェイスボード５１、５２の働きで電源ボード６４からＰＣボード５９に電力は供給される。電力はＰＣボード５９からタッチスクリーンパネル２３やＵＳＢボード６１に供給される。
【００３６】
いま、利用者が生体指標を測定する場面を想定する。利用者はプラットフォーム１３上で直立する。タッチスクリーンパネル２３から測定を指示する。例えば利用者はタッチスクリーンパネル２３に指でタッチする。タッチに基づき特定の測定項目が選択される。ＰＣボード５９は測定項目に応じて制御ボード４８の測定を指示する。必要に応じて利用者は把持電極ユニット２４ａ、２４ｂを掴む。測定が開始される。例えばインピーダンス測定ボード４３は、電流電極１４ａ、１４ｂ、２５、２５の特定の１対を通じて利用者に交流電流を供給する。続いて、インピーダンス測定ボード４３は電圧電極１５ａ、１５ｂ、２６、２６の特定の１対を通じて利用者の電圧を測定する。インピーダンス測定ボード４３は利用者のインピーダンス値を算出する。制御ボード４８はインピーダンス値と重量値に基づき測定項目に関する生体指標を算出する。生体指標を示す情報はＰＣボード５９に送信される。その後、タッチスクリーンパネル２３には生体指標を示す情報が表示される。
【００３７】
図５に示されるように、この体組成計１１ではディスプレイユニット２２は支柱１８から取り外されうる。ディスプレイユニット２２は支柱１８の窪みに受け入れられればよい。弾性力ではめ込まれてもよい。このとき、ケーブル４６、ケーブル５３および電源ケーブル７３は支柱１８の外側で延びる。したがって、ディスプレイユニット２２が取り外されても、ディスプレイユニット２２と本体１２との接続は維持される。プラットフォーム１３上の利用者本人以外の測定者がタッチスクリーンパネル２３を操作することができる。プラットフォーム１３上の利用者本人以外の測定者がタッチスクリーンパネル２３上の表示を確認することができる。このとき、利用者本人以外の測定者は利用者の目から操作や表示を遠ざけることができる。
【００３８】
しかも、ディスプレイユニット２２と、ケーブル５３および電源ケーブル７３とは前述のように着脱自在に連結される。したがって、ディスプレイユニット２２は設置場所で簡単に交換されうる。タッチスクリーンパネル２３またはＰＣボード５９の交換や修理は設置場所以外の場所で実施されうる。こういった修理や交換にあたって体組成計１１全体が持ち運ばれる必要はない。作業の負担は軽減される。修理や交換といった場面で作業性は向上する。比較的に簡単にＰＣボード５９やタッチスクリーンパネル２３はアップデートされうる。
【００３９】
図６に示されるように、体組成計１１では支柱１８が取り外されうる。取り外しに先立って前カバー１９および後カバー２１はベース１６から取り外される。摘みねじ２８が緩められ取り外されると、支柱１８はベース１６から取り外される。このとき、インターフェイスボード５１は本体１２内に維持される。したがって、ディスプレイユニット２２と本体１２との接続は維持されうる。支柱１８が取り外された後、前カバー１９および後カバー２１はベース１６に取り付けられる。利用者は、支柱１８なしでも、把持電極ユニット２４ａ、２４ｂを掴みつつタッチスクリーンパネル２３を視認することができる。
【００４０】
支柱１８が取り外される際に、ケーブル４６、ケーブル５３および電源ケーブル７３は本体１２から取り外されうる。したがって、本体１２は従来に比べて簡単に持ち運ばれることができる。制御ボード４８や重量測定ボード４１、インピーダンス測定ボード４３、その他の構成要素の修理や交換は比較的に簡単に実施されうる。修理や交換といった場面で作業性は向上する。
【００４１】
図７に示されるように、支柱１８の背面には鉛直方向に延びる溝８２が形成されてもよい。溝８２は例えば支柱１８の根本から窪み８１まで延びればよい。溝８２は、ケーブル４６、ケーブル５３および電源ケーブル７３を受け入れる。その結果、ケーブル４６、ケーブル５３および電源ケーブル７３は本体１２およびディスプレイユニット２２の間で支柱１８の外面に沿って延びることができる。ただし、ケーブル４６、ケーブル５３および電源ケーブル７３は溝８２なしで支柱１８の外面に沿って這ってもよい。こうしたケーブル４６、ケーブル５３および電源ケーブル７３の固定にあたって例えばクリップが用いられてもよい。
【００４２】
なお、インターフェイスボード５１ではコネクター５５および電源用コネクター７１が１部品として一体化されてもよい。同様に、インターフェイスボード５２ではコネクター５６および電源用コネクター７２が１部品として一体化されてもよい。こういった場合にはケーブル４６、ケーブル５３および電源ケーブル７３は単一のシースに収容されてもよい。併せて、コネクター５７および電源用コネクター７４は１部品として一体化されてもよく、コネクター５８および電源用コネクター７５は１部品として一体化されてもよい。
【符号の説明】
【００４３】
１１  生体指標測定装置（体組成計）、１２  本体、１３  プラットフォーム、１４ａ、１４ｂ  電流電極、１５ａ、１５ｂ  電圧電極、１８  支柱、２２  ディスプレイユニット、２５  電流電極、２６  電圧電極、４１  重量測定ボード（重量測定）、４２  ロードセル（重量・信号変換装置）、４３  インピーダンス測定ボード（インピーダンス測定回路）、４６  ケーブル、４８  演算処理ボード（制御回路）、５３  ケーブル、７３  電源ケーブル。
【図１】
2011177298.tif 000003
【図２】
2011177298.tif 000004
【図３】
2011177298.tif 000005
【図４】
2011177298.tif 000006
【図５】
2011177298.tif 000007
【図６】
2011177298.tif 000008
【図７】
2011177298.tif 000009